(57)【要約】【課題】限られたスペースで送風機駆動用モータの点検、保守が簡単にできる空気調和機を提供する。【解決手段】シロッコファン８とシロッコファン８を回転駆動する送風機駆動用モータ１０を取り付けたモータ取付台７を備え、前記モータ取付台７を空気調和機本体１の下方より着脱自在に装着したもので、送風機駆動用モータ１の交換や保守メンテナンスを行なう時は、空気調和機本体１を天井に設置したままの状態で、モータ取付台７を空気調和機本体１の下に引き出すだけで、限られたスペースで、簡単に行なうことができる。【選択図】図１ 
2005133969.tif 000002
【特許請求の範囲】
【請求項１】
送風機と前記送風機を回転駆動する送風機駆動用モータを取り付けたモータ取付台を備え、前記モータ取付台を空気調和機本体の下方より着脱自在に装着した空気調和機。
【請求項２】
モータ取付台に係止部を設け、空気調和機本体側に前記係止部が係止される被係止部を設けた請求項１記載の空気調和機。
【請求項３】
モータ取付台の両側に第１のガイドを設け、空気調和機本体側に、前記モータ取付台の装着時に前記第１のガイドを案内する第２のガイドを設けた請求項１又は２記載の空気調和機。
【請求項４】
係止部及び／又は被係止部にモータ取付台の位置決めを行なう位置決め部を設けた請求項２又は３記載の空気調和機。
【発明の詳細な説明】
【技術分野】
【０００１】
本発明は、空気調和機に関し、特に天井に埋め込まれたり吊り下げられたりする空気調和機の送風機駆動用モータの取付に関するものである。
【背景技術】
【０００２】
従来の埋込型の空気調和機の送風機駆動用モータの取付方法を図６を参照しながら説明する。
【０００３】
図に示すように、空気調和機内に、互いに離れて相対向して配置された一対のフレーム１０１が設けられ、各フレーム１０１の各対向面に固定された一対の支持金具１０２と、各フレーム１０１間に挿入されるとともに、各支持金具１０２上に載置可能な板状のファンモータベース１０３とを備え、ファンモータベース１０３には、送風機１０４と送風機１０４を回転駆動する送風機駆動用モータ１０５が固定されており、さらに支持金具１０２上に支持片１０６が設けられている。
【０００４】
上記構成において、送風機１０４と送風機駆動用モータ１０５が固定されたファンモータベース１０３は、各フレーム１０１間に挿入され各支持金具１０２上を前後に滑り、支持片１０６により固定されるようになっている（例えば、特許文献１参照）。
【０００５】
また、図７は、他の従来の空気調和機の送風機駆動用モータと送風機の取り付け例を示すもので、送風機１１５とその送風機を駆動する送風機駆動用モータ１１６を支持する支持金具１１１は、空気調和機本体１１７の基板１０８、天板１０９、あるいは左右側板１１０に直接取付けねじ１１２で固定され、また左右取付け補助板１１４を介して取付けねじ（図示せず）で固定される構成であった。
【特許文献１】実開平６−３２９１９号公報
【発明の開示】
【発明が解決しようとする課題】
【０００６】
しかしながら、従来の送風機１０４と送風機駆動用のモータ１０５をファンモータベース１０３に取り付ける方法では、送風機駆動用モータ１０５を保守メンテナンスする場合、ファンモータベース１０３ごと空気調和機外に水平に引き出す必要があり、そのため、ファンモータベース１０３を取り扱うに見合うだけの大きな天井内スペースや点検口が必要であった。
【０００７】
また、送風機１１５と送風機駆動用モータ１１６を支持する支持金具１１１を空気調和機本体１１７にねじ固定したものにあっては、送風機駆動用モータ１１６を保守メンテナンスする場合、空気調和機本体１１７や接続されているダクト（図示せず）を外し、空気調和機本体１１７の大掛かりな分解作業が必要となり、特にこの分解作業を天井内で行うには大変な作業が必要であるという問題があった。
【０００８】
本発明は前記従来の課題を解決するもので、空気調和機を天井に設置したままの状態で、少ない作業スペースで送風機駆動用モータの保守メンテナンスが容易に行なうことができる空気調和機を提供することを目的とする。
【課題を解決するための手段】
【０００９】
前記従来の課題を解決するために、本発明の空気調和機は、送風機と前記送風機を回転駆動する送風機駆動用モータを取り付けたモータ取付台を備え、前記モータ取付台を空気
調和機本体の下方より着脱自在に装着したもので、空気調和機本体を天井に設置したままの状態で、モータ取付台を空気調和機本体の下方に引き出すことにより、送風機駆動用モータの交換や保守メンテナンスが簡単にでき、しかも限られたスペースや点検口で行なうことができるものである。
【発明の効果】
【００１０】
本発明の空気調和機は、送風機駆動用モータの保守メンテナンスを空気調和機を天井に設置したままの状態で、しかも限られた天井内スペースや点検口で容易に行うことができる。
【発明を実施するための最良の形態】
【００１１】
第１の発明は、送風機と前記送風機を回転駆動する送風機駆動用モータを取り付けたモータ取付台を備え、前記モータ取付台を空気調和機本体の下方より着脱自在に装着したもので、空気調和機本体を天井に設置したままの状態で、モータ取付台を空気調和機本体の下方に引き出すことにより、送風機駆動用モータの交換や保守メンテナンスが簡単にでき、しかも限られた天井内スペースや点検口で行なうことができるものである。
【００１２】
第２の発明は、特に、第１の発明のモータ取付台に係止部を設け、空気調和機本体側に前記係止部が係止される被係止部を設けたもので、ねじや特別な金具等を用いることなく空気調和機本体にモータ取付台を簡単に取りつけたり、外したりできるので、特殊な工具を必要とせず作業効率がよく、また、作業スペースも少なくて済む。
【００１３】
第３の発明は、特に、第１の発明のモータ取付台の両側に第１のガイドを設け、空気調和機本体側に、前記モータ取付台の装着時に前記第１のガイドを案内する第２のガイドを設けたもので、モータ取付台を第２のガイドに沿ってスライドさせるだけで、空気調和機本体へのモータ取付台の装着が確実に行なえる。
【００１４】
第４の発明は、特に、第２又は第３の発明の係止部及び／又は被係止部にモータ取付台の位置決めを行なう位置決め部を設けたもので、モータ取付台の係止部を空気調和機本体側の被係止部に係止するだけで、モータ取付台の位置決めも行なわれるので、モータ取付台が空気調和機本体に確実に取り付けられ、また、運転時の振動等でがたつきが発生する事も無い。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における埋め込み型の空気調和機の内部構造を示す側面図である。
【００１７】
図１において、１は埋め込み型の空気調和機本体（以下、「本体１」という）、２は本体送風側底板、３は本体下部蒸発器側底板、４は蒸発器５によるドレン水を受ける水受け皿、６は本体１の上部に取付けられる天板、７は送風機駆動用モータ１０を取り付けたモータ取付台、８は送風機駆動用モータ１０に取付けられ送風機となるシロッコファン、９はバルクヘッドでありモータ取付台７を取付ける取付板である。モータタ取付台７のメンテナンス等の際に、前記本体送風側底板２および本体下部蒸発器側底板３を外すことにより容易にモータ取付台７にアクセスできる構成となっている。
【００１８】
図２は、天板６を取り外した本体１の上面図で、左右にシロッコファン８が取り付けられた送風機駆動用モータ１０がモータ取付台７に取付けられている。
【００１９】
図３は、シロッコファン８を覆うエアガイダーを示すもので、図に示すように、各シロッコファン８は、上下１対のエアガイダー１１、１２で覆われ、前記エアガイダー１１、１２の一方に被係止部１３ａが、他方に前記被係止部１３ａに自在に係止する係止部１３ｂが設けられ、被係止部１３ａに係止部１３ｂを係止、離脱することによりエアガイダー１１とエアガイダー１２の着脱を自在にしている。また、エアガイダー１１、１２の少なくとも一方はモータ取付台７に取付けられている。
【００２０】
図４は、モータ取付台７とそれを取付ける取付板９の斜視図で、図５は、モータ取付台７に設けた引っかけ部１４のＬ字状部の詳細を示すものである。
【００２１】
図において、モータ取付台７の左右には係止部となるＬ字状の引っかけ部１４が設けられ、取付板９の前記引っかけ部１４に対向する位置に、前記引っかけ部１４を引っ掛けるための被係止部となる引っかけ部１５が設けられている。
【００２２】
またモータ取付台７の両端には第１のガイド７ａ、７ｂが設けられ、取付板９の左右には、前記モータ取付台７の第１のガイド７ａ、７ｂを案内するガイド９ａ、９ｂが設けられている。
【００２３】
上記構成により、モータ取付台７を取付板９の下方からスライドさせ、モータ取付台７の引っかけ部１４が取付板９の引っかけ部１５の位置に達するまで持ち上げ、前面方向より引っかけ部１４を引っかけ部１５に引っ掛け、次に右方向にずらすことにより引っかけ部１５の底部１５ａが引っかけ部１４に設けた位置決め部すなわち底部のスリット部１４ａに入りこみ、モータ取付台７の上下方向の位置決めがなされ、はずれることなく取り付け、固定される。
【００２４】
また、図５に示すように、Ｌ字状のコーナー部１６にＲを付ける（丸みをつける）ことにより、モータ取付台７の引っかけ部１４を取付板９の引っかけ部１５にスムースにスライドさせて取付ける事ができる。
【００２５】
また、取付板９の引っかけ部１５に上下方向にリブ１７、またはダボ１８を設けると、モータ取付台７を取付板９に取付けた際、ガタツキを防止でき、また取り付け用ネジの本数を減らすことも可能である。
【００２６】
以上のように本実施の形態によれば、送風機駆動用モータ１０等の保守、メンテナンスの際は、本体１を据え付け箇所よりはずすことなく、モータ取付台７を左右に短くスライドさせるだけでモータ取付台７を容易に脱着でき、容易に保守メンテナンスを行うことができるものである。
【００２７】
また、従来、送風機駆動用モータのメンテナンス用に、空気調和機本体を据付箇所よりはずす為に空気調和機本体の大きさに相当する広い点検口が必要であったが、本実施の形態によれば、モータ取付台相当のスペースだけでよく、所定の工具を用い、且つ本体を据え付けた状態で行えるものである。
【産業上の利用可能性】
【００２８】
以上のように、本発明にかかる空気調和機は、送風機駆動用モータの保守メンテナンスが本体を天井に設置したままの状態で、しかも限られたスペースや点検口で容易に行えるので、天井設置型の各種送風装置、空気清浄機などにも広く適用できるものである。
【図面の簡単な説明】
【００２９】
【図１】本発明の実施の形態１における空気調和機の本体の内部構成を示す側面図
【図２】天板を外した同本体の上面図
【図３】（ａ）同空気調和機のエアガイダーの平面図、（ｂ）同空気調和機のモータ取付台の斜視図
【図４】同モータ取付台と取付板の斜視図
【図５】（ａ）同モータ取付台の部分平面図、（ｂ）同モータ取付台の引っかけ部の拡大図、（ｃ）取付板の部分平面図、（ｄ）同取付板の引っかけ部の側面図、（ｅ）他の例を示す引っかけ部の側面図、（ｆ）他の例を示す引っかけ部の側面図
【図６】従来の空気調和機の送風機駆動用モータの取付方法を示す斜視図
【図７】従来の他の例を示す空気調和機の送風機駆動用モータの取付方法を示す斜視図
【符号の説明】
【００３０】
１    空気調和機本体
７    モータ取付台
７ａ、７ｂ  第１のガイド
８    シロッコファン（送風機）
９    取付板
９ａ、９ｂ  第２のガイド
１０    送風機駆動用モータ
１４    引っかけ部（係止部）
１４ａ  スリット（位置決め部）
１５    引っかけ部（被係止部）
【図１】
2005133969.tif 000003
【図２】
2005133969.tif 000004
【図３】
2005133969.tif 000005
【図４】
2005133969.tif 000006
【図５】
2005133969.tif 000007
【図６】
2005133969.tif 000008
【図７】
2005133969.tif 000009